(57)【特許請求の範囲】
【請求項１】
浴室の壁面に設けられた固定カウンタの前方に、可動カウンタを、上下に回動可能に設けてなる浴室カウンタにおいて、
前記固定カウンタの前面はフラットで、前記固定カウンタより下方の浴室の壁面に後端を固着したブラケットの前端部に、少なくとも左右一対の軸ホルダを、前記固定カウンタの前面よりも前方に位置するように設けたものであって、前記軸ホルダの後端の上下方向を向く基片は、その 前方より挿入した複数のボルトを、固定カウンタの前面板の通孔に遊通させて、ブラケットの前端に連設された上下方向を向く取付片に螺合することにより、前面板を挟むようにして、左右のブラケットに取付けられ、前記軸ホルダに回転自在に枢支された左右方向を向く支軸により、前記可動カウンタの左右両側の後端部を、上面が前記固定カウンタの上面と同一面をなすほぼ水平な使用位置と、上下方向を向く不使用位置との間を回動しうるように支持したことを特徴とする浴室カウンタ。
【請求項２】
前記ブラケットに、前記固定カウンタの下面を取付けたことを特徴とする請求項１に記載の浴室カウンタ。
【請求項３】
前記ブラケットは前記固定カウンタの左右に配置されており、該左右のブラケット同士を横杆により互いに連結したことを特徴とする請求項１または２に記載の浴室カウンタ。
【請求項４】
前記支軸に、前記可動カウンタの下向き回動時に抵抗力を付与する回転ダンパを設けたことを特徴とする請求項１ないし３のいずれかに記載の浴室カウンタ。
【請求項５】
前記可動カウンタを前記不使用位置に保持する保持手段を設けたことを特徴とする請求項１ないし４のいずれかに記載の浴室カウンタ。
【請求項６】
前記支軸または該支軸の近傍に、前記可動カウンタの回動範囲を規制する規制手段を設けたことを特徴とする請求項１ないし５のいずれかに記載の浴室カウンタ。
【請求項７】
前記固定カウンタまたは前記浴室の壁面と前記可動カウンタとの対向面間に、排水用の隙間を設けたことを特徴とする請求項１ないし６のいずれかに記載の浴室カウンタ。
【請求項８】
前記可動カウンタを、透光性を有する板材にて構成したことを特徴とする請求項１ないし７のいずれかに記載の浴室カウンタ。
【請求項９】
前記可動カウンタの前端部上面に突部を設けた請求項１ないし８のいずれかに記載の浴室カウンタ。
【発明の詳細な説明】
【技術分野】
【０００１】
本発明は、浴室の洗い場の壁面に設けられるカウンタに係り、特に、上下に回動可能な可動カウンタを備える浴室カウンタに関する。
【背景技術】
【０００２】
この種の可動カウンタ（可動台）を備える浴室カウンタとしては、例えば特許文献１に記載されているものがある。
【０００３】
【特許文献１】特許第３６９７９９３号公報
【発明の開示】
【発明が解決しようとする課題】
【０００４】
上記特許文献１に記載されている浴室カウンタにおいては、壁面に設けた固定カウンタの前側中央部に、壁面側に凹入する凹部を形成し、この凹部内に可動カウンタの後部を挟入して上下に回動可能に取付けているため、可動カウンタを上方に跳ね上げた際、固定カウンタの両側部が可動カウンタの前面よりも前方に突出し、凹凸感を呈して見栄えが悪くなったり、シャワーを浴びるときなどに邪魔になることがある。
【０００５】
また、固定カウンタに凹部を加工したり、凹部内の両側面に軸を突設したりする必要があるため、既存の固定カウンタに、可動カウンタを簡単に後付けできないという問題もある。さらに、可動カウンタの左右寸法が固定カウンタの凹部の左右幅により規制されてしまうため、任意の左右寸法の可動カウンタを取付けることができない。
【０００６】
本発明は、上記問題点を解決するためになされたもので、固定カウンタの前面をフラットとして、凹凸感を呈したり、邪魔になったりすることのないようにするとともに、既存の固定カウンタの前方に可動カウンタを簡単に後付けしうるようにし、さらに、可動カウンタの左右寸法を任意に設定しうるようにした浴室カウンタを提供することを目的としている。
【課題を解決するための手段】
【０００７】
上記目的を達成するために、本発明の請求項１に記載の浴室カウンタは、浴室の壁面に設けられた固定カウンタの前方に、可動カウンタを、上下に回動可能に設けてなる浴室カウンタにおいて、
前記固定カウンタの前面はフラットで、前記固定カウンタより下方の浴室の壁面に後端を固着したブラケットの前端部に、少なくとも左右一対の軸ホルダを、前記固定カウンタの前面よりも前方に位置するように設けたものであって、前記軸ホルダの後端の上下方向を向く基片は、その 前方より挿入した複数のボルトを、固定カウンタの前面板の通孔に遊通させて、ブラケットの前端に連設された上下方向を向く取付片に螺合することにより、前面板を挟むようにして、左右のブラケットに取付けられ、前記軸ホルダに回転自在に枢支された左右方向を向く支軸により、前記可動カウンタの左右両側の後端部を、上面が前記固定カウンタの上面と同一面をなすほぼ水平な使用位置と、上下方向を向く不使用位置との間を回動しうるように支持したことを特徴としている。
この特徴によれば、可動カウンタは、壁面に固着されたブラケットの前端に設けた軸ホルダの支軸により、上下に回動可能に支持されているため、固定カウンタの前面をフラットとして、それに何ら加工を施す必要はない。従って、従来のように、可動カウンタを跳ね上げても、凹凸感を呈したり、固定カウンタの両側部が邪魔になったりすることはない。
また、固定カウンタに何ら加工を施す必要がないため、既存の固定カウンタの前方に、可動カウンタを簡単且つ確実に後付けすることができる。
さらに、可動カウンタの左右寸法が、固定カウンタの凹部の左右幅により規制されるということがなくなるので、可動カウンタの左右寸法を任意に設定することができる。
【０００８】
本発明の請求項２に記載の浴室カウンタは、請求項１に記載の浴室カウンタであって、
前記ブラケットに、前記固定カウンタの下面を取付けたことを特徴としている。
この特徴によれば、可動カウンタのブラケットが、固定カウンタ取付用のブラケットも兼ねているので、部品点数が削減される。
【０００９】
本発明の請求項３に記載の浴室カウンタは、請求項１または２に記載の浴室カウンタであって、
前記ブラケットは前記固定カウンタの左右に配置されており、該左右のブラケット同士を横杆により互いに連結したことを特徴としている。
この特徴によれば、各ブラケットが左右方向にぐらつくことなく、強固に連結されるので、可動カウンタが安定して支持される。特に、ブラケットを、固定カウンタの取付用として共用した際に、両カウンタを安定して支持することができる。
【００１１】
本発明の請求項４に記載の浴室カウンタは、請求項１ないし３のいずれかに記載の浴室カウンタであって、
前記支軸に、前記可動カウンタの下向き回動時に抵抗力を付与する回転ダンパを設けたことを特徴としている。
この特徴によれば、可動カウンタが急激に下向きに回動するのが防止されるので、安全である。
【００１２】
本発明の請求項５に記載の浴室カウンタは、請求項１ないし４のいずれかに記載の浴室カウンタであって、
前記可動カウンタを前記不使用位置に保持する保持手段を設けたことを特徴としている。
この特徴によれば、不使用位置に跳ね上げた可動カウンタが妄りに下向きに回動することがないので、安全であり、かつ使い勝手もよい。
【００１３】
本発明の請求項６に記載の浴室カウンタは、請求項１ないし５のいずれかに記載の浴室カウンタであって、
前記支軸または該支軸の近傍に、前記可動カウンタの回動範囲を規制する規制手段を設けたことを特徴としている。
この特徴によれば、使用位置において可動カウンタにかかる荷重を、可動カウンタの回動軸側にて支持することができ、これにより可動カウンタの先端側を支持する支持部材等を別途設けなくて済むため、可動カウンタを跳ね上げた状態において、前記支持部材等が邪魔になることがない。
【００１４】
本発明の請求項７に記載の浴室カウンタは、請求項１ないし６のいずれかに記載の浴室カウンタであって、
前記固定カウンタまたは前記浴室の壁面と前記可動カウンタとの対向面間に、排水用の隙間を設けたことを特徴としている。
この特徴によれば、固定カウンタや可動カウンタの上面の水掃けが良好となる。
【００１５】
本発明の請求項８に記載の浴室カウンタは、請求項１ないし７のいずれかに記載の浴室カウンタであって、
前記可動カウンタを、透光性を有する板材にて構成したことを特徴としている。
この特徴によれば、可動カウンタを光が透過するので、使用位置及び不使用位置のいずれに回動させても、可動カウンタ付近の浴室が暗くなることはなく、また圧迫感をなくすことができる。
【００１６】
本発明の請求項９に記載の浴室カウンタは、請求項１ないし８のいずれかに記載の浴室カウンタであって、
前記可動カウンタの前端部上面に突部を設けたことを特徴としている。
この特徴によれば、可動カウンタの上面に載せた洗面器等が前方に滑り落ちるのが防止される。
【発明を実施するための最良の形態】
【００１７】
以下、本発明の実施形態を図面に基づいて説明する。
【００１８】
図１は、本発明の浴室カウンタを備える浴室の一部の斜視図で、浴室カウンタ１は、壁面２に取付けられた固定カウンタ３と、この前方の可動カウンタ４とからなっている。該浴室カウンタ１はカランＫの下方に配置され、可動カウンタ４の上面に桶等を載置することで、カランＫから吐出される湯水を溜めること等ができるようになっている。
【００１９】
図２の平面図及び図３の縦断面図に示すように、固定カウンタ３は、上面板３ａと、その前端より垂下する前面板３ｂとにより、側面視倒立Ｌ字形に形成され、全体が合成樹脂により一体成形されている。
【００２０】
図３に示すように、壁面２には、左右一対のブラケット５における後端の上下方向を向く外向折曲片５ａが、ねじ６により固定されている。固定カウンタ３の左右両側部下面は、左右のブラケット５の前方を向く水平な上片５ｂに、下方よりねじ６により固定されている。なお、固定カウンタ３は、若干前下方に傾斜するようにブラケット５に取付けられ、上面板３ａ上の水が前方に流れるようにしてある。
【００２１】
左右のブラケット５の前端部同士は、横杆７により連結され、左右方向にぐらつくのが防止されている。また、固定カウンタ３の下方は、その前面板３ｂの下端の裏面に前端が係止され、後端がブラケット５の下端の前向片５ｃにねじ８により固定されたカバー９により閉塞されている。
【００２２】
可動カウンタ４は、半透明の合成樹脂材により、左右寸法が固定カウンタ３より短寸の平板状に形成され、該可動カウンタ４の前端部上面には、洗面器等の落下を防止する滑り止め用の突部４ａが設けられている。可動カウンタ４の左右両側端部の下面には、正面視内向Ｌ字形をなす金属製の取付板１０の内向支持片１０ａが次のようにして固定されている。すなわち、図４及び図５に示すように（左右対称で同一構造につき、左方のみ図示する）、取付板１０の内向支持片１０ａと起立片１０ｂとに、可動カウンタ４の下面と側面を当接させたのち、取付板１０を覆う下部カバー１１の前後２箇所の下方より挿入した皿ボルト１２を、内向支持片１０ａと可動カウンタ４に形成した取付孔１３に挿入し、上部カバー１４の下面の突部１４ａに形成しためねじ１５に螺合する。
【００２３】
取付板１０の起立片１０ｂの後端部には、図７に示すように、概ね半円板状の枢支板１６が下向きに連設され、この枢支板１６の外側面には、図４に示すように、平面視逆Ｌ字状断面をなす金属製の軸ホルダ１７が、また同じく内側面には、合成樹脂製の枢支部材１８が、それぞれ次のようにして取付けられている。
【００２４】
すなわち、図４に示すように、枢支部材１８の中心部に形成された内方に開口する有底孔１９の奥面と枢支板１６とに形成した通孔２０に、ボルト２１を内方より挿入し、このボルト２１を、軸ホルダ１７の前向片１７ａに回転自在に嵌合された左右方向を向く支軸２２における右端の小径軸２２ａのめねじ２３に螺合する。
【００２５】
これにより、枢支板１６の両側面に、軸ホルダ１７の前向片１７ａと枢支部材１８とが相対回転可能に取付けられ、また前向片１７ａには支軸２２が回転自在に取付けられる。なお、前向片１７ａと枢支板１６の間には、回転抵抗を低減するためのスラストワッシャ２４が挟入されている。尚、２５は、枢支部材１８の有底孔１９の開口端に止着されたキャップである。
【００２６】
軸ホルダ１７の後端の上下方向を向く基片１７ｂは、その前方より挿入した複数のボルト２６を、固定カウンタ３の前面板３ｂの通孔２７に遊通させて、ブラケット５の前端に連設された上下方向を向く取付片５ｄのめねじ２８に螺合することにより、前面板３ｂを挟むようにして、左右のブラケット５に取付けられている。これにより、可動カウンタ４全体は、左右の軸ホルダ１７を介して実質的に左右のブラケット５に回動可能に支持され、固定カウンタ３と可動カウンタ４との間には、排水用の隙間Ｓが形成されている。
【００２７】
軸ホルダ１７の基片１７ｂの前面にボルト２６を利用して固定されたブラケット２９には、可動カウンタ４を下向きに回動させる際に適度の抵抗力を付与するための公知の回転ダンパ３０が取付けられ、その右方を向く回転軸３１は、上記支軸２２に相対回転不能に嵌合されている。なお、本実施形態では、回転ダンパ３０は、左方のみに設けているが、可動カウンタ４を大型とした際には、左右一対に設けてもよい。
【００２８】
３２は、軸ホルダ１７，支軸２２及び回転ダンパ３０等を体裁よく覆うカバーである。右方にも同一形状のカバー３２が取付けられ、左右同一意匠となるようにしてある。
【００２９】
図６に示すように、軸ホルダ１７における支軸２２の下方の前向片１７ａには、左右方向を向く規制手段としてのストッパピン３３が、その外側端部のねじ軸３３ａを前向片１７ａに挿通しナット３４を螺合することにより、枢支部材１８側に突出するようにして固定されている。このストッパピン３３は、図７に示すように、枢支板１６に形成された、支軸２２を中心とする規制手段としての円弧状のガイド溝３５に摺動可能に嵌合され、可動カウンタ４の上下方向の回動範囲が規制されるようになっている。
【００３０】
すなわち、ストッパピン３３がガイド溝３５の下端に位置すると、可動カウンタ４は、ほぼ水平をなす使用位置に停止し、同じくガイド溝３５の上端に位置すると、上下方向を向く不使用位置（可動カウンタ４を使用しない位置）となる（図３の２点鎖線参照）。また、例えば使用位置において可動カウンタ４の先端部を下方から支持する支持部材（図示略）等を別途設け、該支持部材により可動カウンタ４を使用位置にて支持するようにした場合、可動カウンタ４を跳ね上げて不使用位置としたときに前記支持部材等が邪魔になるが、前述のように、ストッパピン３３が支軸２２の近傍に形成された規制手段としてのガイド溝３５の下端に当接規制されることにより、可動カウンタ４が使用位置に保持されるようにすることで、可動カウンタ４を跳ね上げて不使用位置としたときに支持部材等が邪魔になることがない。さらに、可動カウンタ４の回動範囲を規制する規制手段としてのガイド溝３５及びストッパピン３３が、可動カウンタ４を使用位置に支持する支持手段を兼ねるので、部品点数を極力低減することができる。
【００３１】
また、可動カウンタ４を不使用位置まで回動すると、図８の２点鎖線に示すように、ストッパピン３３が、枢支部材１８の内部に一体成形された弾性片３６を弾性変形させつつ、同じく枢支部材１８内壁に一体成形された山形状のノッチ３７を乗り越えて上方に相対移動し、その位置で停止させられる。これにより、可動カウンタ４は上下方向を向く不使用位置に保持され、妄りに下向きに回動するのが防止される。なお、上記ストッパピン３３，弾性片３６及びノッチ３７により、可動カウンタ４を不使用位置に保持する保持手段を構成している。
【００３２】
以上説明したように、上記実施形態の浴室カウンタ１においては、可動カウンタ４は、浴室の壁面２に固着されたブラケット５により実質的に支持されているため、固定カウンタ３に大幅な加工を施す必要はなく、既存の固定カウンタ３の前方に、可動カウンタを簡単に後付けすることが可能となる。
【００３３】
また、固定カウンタ３の前面はフラットで、従来のような凹部を設けていないので、可動カウンタ４を不使用位置に跳ね上げても、大きな凹凸感を呈したり、固定カウンタ３の両側部が前方に突出して邪魔になったり、脚をぶつけて怪我をする虞がなく安全である。さらに、可動カウンタ４の左右寸法を、固定カウンタ３に左右されることなく任意に設定することができる。
【００３４】
なお、上記実施形態の固定カウンタ３は、前面板３ｂを有するものとしたが、上面板３ａのみの平板状としてもよく、この際には、ブラケット５を上面板３ａの前端付近まで延出させ、その前面に軸ホルダ１７を直接取付ければよい。
【００３５】
また、上記のようなブラケット５を省略して、軸ホルダ１７を、浴室の壁面２に直接固着することもある。この際、軸ホルダ１７の形状を壁面２に固着しうるように適宜変更すればよい。さらに、回転ダンパ３０は省略して実施することもある。
【図面の簡単な説明】
【００３６】
【図１】本発明の浴室カウンタを備える浴室の一部の斜視図である。
【図２】浴室カウンタの拡大平面図である。
【図３】図２のIII−III線に沿う縦断側面図である。
【図４】浴室カウンタの左部の要部を横断して示す拡大平面図である。
【図５】図４のV−V線に沿う縦断後面図である。
【図６】同じく図４VI−VI線に沿う縦断正面図である。
【図７】図６のVII−VII線に沿う縦断側面図である。
【図８】同じくVIII−VIII線に沿う縦断側面図である。
【符号の説明】
【００３７】
１            浴室カウンタ
２            壁面
３            固定カウンタ
４            可動カウンタ
５            ブラケット
７            横杆
９            カバー
１０          取付板
１１          下部カバー
１４          上部カバー
１６          枢支板
１７          軸ホルダ
１８          枢支部材
２１          ボルト
２２          支軸
２４          スラストワッシャ
２９          ブラケット
３０          回転ダンパ
３１          回転軸
３３          ストッパピン（保持手段、規制手段）
３５          ガイド溝（保持手段、規制手段）
３６          弾性片（保持手段）
３７          ノッチ（保持手段）
Ｓ            隙間
【図１】
0004757018.tif 000002
【図２】
0004757018.tif 000003
【図３】
0004757018.tif 000004
【図４】
0004757018.tif 000005
【図５】
0004757018.tif 000006
【図６】
0004757018.tif 000007
【図７】
0004757018.tif 000008
【図８】
0004757018.tif 000009